(57)【特許請求の範囲】
【請求項１】
外輪と、内輪部と、複数の転動体と、該複数の転動体を転動自在に保持する保持器と、シールドとを備えた転がり軸受において、
前記外輪の少なくとも軸方向一方の端部内周面には、該外輪の内径よりも大径で軸方向外側に開口され、前記シールドの軸方向幅よりも広い軸方向幅を持つ大径部が設けられており、
前記シールドの外形面は、同一中心角を持ち円周上に等配された複数の円弧と、該隣り合わせの円弧をそれぞれ結ぶ複数の弦からなり、
前記大径部に、前記シールドが圧入固定されていることを特徴とする転がり軸受。
【請求項２】
前記円弧の中心角よりも、前記弦の中心角が大きいことを特徴とする請求項１に記載の転がり軸受。
【請求項３】
前記シールドの軸方向端面と前記外形面との縁部と、前記外輪の軸方向端面と前記大径部との縁部の少なくとも一方には、圧入導入部が設けられることを特徴とする請求項１又は２に記載の転がり軸受。
【請求項４】
前記圧入導入部は、テーパ形状、または断面凸曲面形状であることを特徴とする請求項３に記載の転がり軸受。
【請求項５】
前記シールドの軸方向端面と前記外形面との縁部と、前記外輪の軸方向端面と前記大径部との縁部の両方に、テーパ形状の前記圧入導入部が形成され、
前記外輪の大径部と前記圧入導入部との境界部における径をφＡ、前記シールドの軸方向端面と前記圧入導入部との境界部における径をφＢ、前記シールドの円弧の径をφＣとすると、
φＢ＜φＡ＜φＣ
の寸法関係を満たすことを特徴とする請求項３に記載の転がり軸受。
【請求項６】
前記外輪の軸方向端面と前記大径部との縁部には、断面凸曲面形状の前記圧入導入部が形成され、
前記シールドの軸方向端面と前記外形面との縁部には、テーパ形状の前記圧入導入部が形成されることを特徴とする請求項３に記載の転がり軸受。
【請求項７】
前記シールドの軸方向両端面と前記外形面との両縁部には、前記圧入導入部が設けられることを特徴とする請求項３〜６のいずれか１項に記載の転がり軸受。
【請求項８】
前記シールドの内径面と前記内輪部の外形面との間でラビリンス隙間を形成することを特徴とする請求項１〜７のいずれか１項に記載の転がり軸受。
【請求項９】
前記外輪の大径部には、前記シールドを軸方向に位置決めするための軸方向内側端面が形成されることを特徴とする請求項１〜８のいずれか１項に記載の転がり軸受。
【発明の詳細な説明】
【技術分野】
【０００１】
本発明は、軸受内部を軸受外部から密封するためのシールドが取り付けられた転がり軸受に関し、特にシールドの取り付け技術に関する。
【背景技術】
【０００２】
従来、グリース潤滑軸受には、軸受内のグリース保持、および、異物侵入防止の目的から金属製のシールドが取り付けられた種々の転がり軸受が知られている（例えば、特許文献１参照）。その一例として図８に従来の転がり軸受の要部断面図を示す。転がり軸受１０は、外輪１１と、内輪１２と、内外輪１１，１２間に設けられた複数のボール１３と、ボール１３を転動自在に保持する保持器１７と、防塵等の役割を果たす金属製シールド１４，１５とからなる。そして、外輪１１の側面には軸方向外側から内側に向かって外方広がり形状の金属製シールド固定溝１１ａ，１１ｂが形成されている。【０００３】
次に、転がり軸受１０に金属製シールド１４，１５を装着する方法を説明する。図８（ａ）に示すように、まず予め屈曲して形成された金属製シールド１４を溝１１ａに当接させる。続いて図８（ｂ）に示すように、金属製シールド１４をプレス等による塑性加締め変形を用いて固定溝１１ａに装着固定する。同様な方法で、もう一方の金属製シールド１５も固定溝１１ｂに装着固定する。【０００４】
ところで、上述した従来の金属製シールドの装着固定構成は、その装着を確実にするために、外輪の金属製シールド固定溝に、外側から内側に向かって外方広がり空間を形成する溝を設ける必要がある。しかしながら、幅薄外輪（軸方向幅の狭い外輪）では、溝を設けるための軸方向の余裕がなく、金属製シールドを転がり軸受に装着固定できなかった。【０００５】
上記課題を解決するために、特許文献２には、ワッシャ形状シールドをレーザー溶接にて外輪に装着固定する技術が開示されている。しかし、この技術は、レーザー溶接にともないコストが高くなってしまう。また、溶接による軸受軌道面の形状崩れ等が発生しやすいという問題があった。そこで、ワッシャ形状のシールドをシールド外径面、及び、外輪内径面を嵌合部として圧入により装着固定する方法が考えられるが、シールドを圧入する際に、特に薄肉外輪（外径と内径の寸法差が少ない径方向の厚みの少ない外輪）に圧入する際には外輪の変形が発生しやすいという問題があった。【０００６】
また、特許文献３に記載の軸受の密封装置では、金属製の環状板の外周において等間隔の６箇所に、環状板自身の径方向たわみを許容させるための凹状の切り欠き部が設けられており、外輪の周溝に金属製の環状板をたわませながら嵌入させることが記載されている。しかしながら、この場合、周溝の外側内壁面の径方向寸法に対応して、たわみを許容するような大きさの切り欠き部が必要であり、使用時の環状板の剛性に影響する可能性がある。
【先行技術文献】
【特許文献】
【０００７】
【特許文献１】日本国特開２００１−０２７２５３号公報
【特許文献２】日本国特開平１１−３５１２６３号公報
【特許文献３】日本国特開平７−２７９９７９号公報
【発明の概要】
【発明が解決しようとする課題】
【０００８】
本発明は、上述の様な事情に鑑み、軸方向幅の狭い薄幅外輪や径方向幅の狭い薄肉外輪であっても、金属製シールドが装着可能な転がり軸受を提供することを目的とする。
【課題を解決するための手段】
【０００９】
本発明の上記目的は、
外輪と、内輪部と、複数の転動体と、該転動体を転動自在に保持する保持器と、シールドとを備えた転がり軸受において、
前記外輪の少なくとも軸方向一方の端部内周面には、該外輪の内径よりも大径で軸方向外側に開口され、前記シールドの軸方向幅よりも広い軸方向幅を持つ大径部が設けられており、
前記シールドの外形面は、同一中心角を持ち円周上に等配された複数の円弧と、該隣り合わせの円弧をそれぞれ結ぶ複数の弦からなり、
前記大径部に、前記シールドが圧入固定されていることを特徴とする転がり軸受によって解決される。
【発明の効果】
【００１０】
本発明によれば、シールドは軸受に圧入されるので、軸方向幅の狭い薄幅外輪であっても、金属製シールドが装着可能である。また、軸受に圧入されるシールドは、外径面が、同一中心角を持ち円周上に等配された複数の円弧と、該隣り合わせの円弧をそれぞれ結ぶ複数の弦からなるので、圧入面が全周に亙らないため、圧入嵌合面積が少なく外輪の変形を抑えることが出来る。また、円弧部が円周上等配されているため、外輪が不均等に変形することも抑えることが出来るので、径方向幅の狭い薄肉外輪であっても、金属製シールドが装着可能である。
【図面の簡単な説明】
【００１１】
【図１】本発明の第一実施形態に係る転がり軸受の要部断面図である。
【図２】本発明に係るシールドの形状を示す図である。
【図３】（ａ）は、シールドの軸方向端面と外形面との縁部と、外輪の軸方向端面と大径部との縁部に、圧入導入部が設けられる第１例を示す要部断面図であり、（ｂ）は、シールドの軸方向端面と外形面との縁部と、外輪の軸方向端面と大径部との縁部に、圧入導入部が設けられる第２例を示す要部断面図である。
【図４】図３（ａ）の第１例において、圧入導入部の寸法関係を示す要部拡大図である。
【図５】シールドの軸方向端面と外形面との縁部と、外輪の軸方向端面と大径部との縁部に、圧入導入部が設けられる第３例を示す要部断面図である。
【図６】本発明に係る他のシールドの形状を示す図である。
【図７】本発明の第二実施形態に係る転がり軸受の要部断面図である。
【図８】従来の転がり軸受の要部断面図であり、従来のシールドを装着する方法を説明する図。
【発明を実施するための形態】
【００１２】
以下、添付図面に基づいて本発明の一実施形態を詳細に説明する。図１に、本発明の第一実施形態に係る転がり軸受２０の要部断面図を示す。転がり軸受２０は、外輪２１と、内輪部である内輪２２と、内外輪間に設けられた転動体である複数のボール２３と、ボール２３を転動自在に保持する保持器２７と、平板状の金属製シールド２５とからなる。そして、前記外輪２１の軸方向両端部内周面には、外輪２１の内周面２１ｃ（本実施形態では、肩部の内周面）の内径よりも大径で軸方向外側に開口され、シールド２５の軸方向幅（厚さ）よりも広い軸方向幅を持つ大径部２１ａが設けられている。
【００１３】
シールド２５は、図２に示すような一定厚さの平ワッシャの様な薄板形状である。シールド２５の材質としては、例えば、ＳＰＣＣに、亜鉛、アルミニウム、マグネシウムのメッキが施されている。また、シールド２５の内径は、内輪の外周面との間でラビリンス隙間を形成する直径となっている。一方、シールド２５の外形面は、同一中心角を持ち円周上に等配された複数の円弧２５ａと、隣り合わせの円弧２５ａ同士をそれぞれ結ぶ複数の弦２５ｂからなる。なお、各々の円弧２５ａの中心角αは同一角であり、各々の弦２５ｂの中心角βは同一角であるが、円弧２５ａの中心角αと弦２５ｂの中心角βは同一である必要はない。
【００１４】
また、円弧２５ａの中心角αよりも、弦２５ｂの中心角βを大きく設計することで、外輪２１の大径部２１ａに圧入する圧入嵌合面積が少なくなる。この結果、転がり軸受２０をハウジング等に組み込んだ際に、組み込みに影響しない程度に外輪２１の変形を抑えることができる。
【００１５】
そして、この大径部２１ａの軸方向内側端面２１ｂに突き当たるようにシールド２５が圧入固定されている。すなわち、この大径部２１ａは、シールド２５の軸方向への位置決めとしての軸方向内側端面２１ｂを形成するためのものであり、圧入位置決めが可能な程度の最小限の軸方向内側端面２１ｂの面積が設けられていれば良い。シールド２５は、軸方向において対称に形成されることで、圧入の際、表面、裏面の区別をする必要がなく、組立が容易となる。また、シールド２５は、同一中心角を持ち、円周上に等配された複数の円弧２５ａと、隣り合わせの円弧２５ａ同士をそれぞれ結ぶ複数の弦２５ｂからなるので、任意の位相で外輪２１に対して組付けられれば良く、組立が容易である。なお、シールド２５の軸方向幅、円弧の数と中心角、円弧の直径に対する大径部２１ａの直径により、圧入力、抜け力、外径の変形具合などが変化するので、軸受外輪の寸法、要求される抜け力、許容できる外形の変形量等を加味し、適宜、実験等により各部寸法の最適値を求めると良い。
【００１６】
シールド２５の各弦２５ｂの内接円２５ｃは、外輪２１の内周面２１ｃの内径よりも大径で有ることが好ましい。また、大径部２１ａの軸方向内側端面２１ｂは、シールド２５との間に隙間が出来ないように平面であることが好ましい。これにより、外輪大径部２１ａとシールド２５の弦２５ｂの部分の径方向外側の隙間からの異物侵入、グリース漏れを防ぐことが出来る。但し、隙間があったとしても少量であればラビリンス隙間となり、異物侵入、グリース漏れを防ぐことは可能であるので、やむを得ず隙間を持たせる場合には、極力少なくなるよう設定すると良い。
【００１７】
また、図３〜図５に示すように、シールド２５の軸方向端面と外形面との縁部と、外輪２１の軸方向端面と大径部２１ａとの縁部の少なくとも一方には、圧入導入部２１ｄ、２５ｄが設けられることが好ましい。これにより、シールド２５を外輪２１の大径部２１ａに圧入固定する際に、シールド２５の軸方向端面と外形面との縁部が削られ、異物が発生したり、締め代が減少してシールド２５が脱落するのを防止することができる。
【００１８】
また、外輪２１の圧入導入部２１ｄ、シールド２５の圧入導入部２５ｄには、テーパ形状、又は断面凸曲面形状（Ｒ形状）が適用可能であり、いずれの組み合わせであってもよい。テーパ形状の場合、テーパ角θ１、θ２は、４５度以下であることが好ましい（図４参照）。
【００１９】
具体的には、図３（ａ）に示すように、外輪２１の圧入導入部２１ｄと、シールド２５の圧入導入部２５ｄとをテーパ形状としてもよいし、図３（ｂ）に示すように、外輪２１の圧入導入部２１ｄと、シールド２５の圧入導入部２５ｄとを断面凸曲面形状（Ｒ形状）としてもよい。
【００２０】
また、外輪２１の圧入導入部２１ｄと、シールド２５の圧入導入部２５ｄとをテーパ形状とした場合には、図４に示すように、外輪２１の大径部２１ａと圧入導入部２１ｄとの境界部における径をφＡ、シールド２５の軸方向端面と圧入導入部２５ｄとの境界部における径をφＢ、シールド２５の円弧２５ａの径をφＣとすると、φＢ＜φＡ＜φＣの寸法関係を満たすことが、圧入の容易性と、圧入の確実性の観点から好ましい。
【００２１】
さらに、図５に示すように、外輪２１の圧入導入部２１ｄを断面凸曲面形状とし、シールド２５の圧入導入部２５ｄをテーパ形状としてもよい。シールド２５は薄肉であるんで、テーパ形状の圧入導入部２５ｄは、加工しやすい。また、断面凸曲面形状の外輪２１の圧入導入部２１ｄは、研磨によって容易に加工することができ、また、テーパ形状の圧入導入部２５ｄを持ったシールド２５の挿入性がよい。
【００２２】
さらに、シールド２５の圧入導入部２５ｄが、軸方向両端面と外形面との両縁部に設けられることで、シールド２５は、圧入の際、表面、裏面の区別をする必要がなく、組付け容易性の観点からより好ましい。
【００２３】
なお、シールド２５は、軸方向において対称に形成するため、また、バリを除去する為、弦２５ｂの部分にも、プレスによって軸方向片側から打ち抜かれた後に、面取りが施される。円弧２５ａに設けられた圧入導入部２５ｄの形成は、この面取りを行った後に行われている。
【００２４】
また、図２に示すシールド２５は、８箇所の円弧２５ａと８箇所の弦２５ｂとで形成される略８角形に形成されているが、本発明のシールド２５はこれに限らず、６箇所の円弧２５ａと６箇所の弦２５ｂとで形成される略６角形以上の略多角形状であればよい。
ただし、いずれの場合においても、弦２５ｂの中点における外径が、外輪２１の内周面２１ｃの内径より小さくなり、弦２５ｂと外輪２１の内周面との間に隙間が生じないことが求められる。したがって、上述したように、シールド２５の各弦２５ｂの内接円２５ｃは、外輪２１の内周面２１ｃの内径よりも大径で有ることが好ましい。
【００２５】
例えば、図６に示すシールド２５では、１６箇所の円弧２５ａと１６箇所の弦２５ｂとで形成される略１６角形において、適切な圧入嵌合面積が得られるとともに、シールド２５の各弦２５ｂの内接円２５ｃが、外輪２１の内周面２１ｃの内径よりも大径となるように、中心角α、βが設定される。この場合にも、円弧２５ａの中心角αよりも、弦２５ｂの中心角βを大きく設計することが好ましい。
具体的には、円弧２５ａの中心角αは３．５度に、弦２５ｂの中心角βは１９度に設定されており、円弧２５ａと弦２５ｂの中心角α、βの合計は、２２．５度となるが、実際には、寸法公差を考慮すると、円弧２５ａの中心角αは２〜７度、弦２５の中心角βは１５〜２２度の範囲で形成される。
なお、圧入しろとしては、２μｍとしているが、シールド２５の寸法公差は±３５μｍ、外輪２１の大径部２１ａの寸法公差が±２５μｍであるので、実際の圧入しろは、２〜６２μｍとなる。
【００２６】
また、本実施の形態では、外輪２１に大径部２１ａを設けた例について説明したが、大径部２１ａを設けずに、外輪２１の内周面２１ｃにシールド２５を圧入してもよい。また、本実施の形態では、軸方向両側にシールド２５を設ける例について説明したが、軸方向一方のみにシールド２５を設ける構成でもよい。
【００２７】
図７に、本発明の第二実施形態に係る転がり軸受３０の要部断面図を示す。図７に示すように、転がり軸受３０は、外輪３１と、転動体である複数のコロ３３と、コロ３３を転動自在に保持する保持器３７と、平板状の金属製シールド３５とからなる。そして、前記外輪３１の軸方向両端部内周面には、外輪３１の内径よりも大径で軸方向外側に開口され、シールド３５の軸方向幅（厚さ）よりも広い軸方向幅を持つ大径部３１ａが設けられている。
【００２８】
シールド３５は、図２に示すような一定厚さの平ワッシャの様な薄板形状であり、内径は、内輪部である支持軸３２の外周面との間でラビリンス隙間を形成する直径となっている。シールド３５の外形面は、同一中心角を持ち円周上に等配された複数の円弧３５ａと、隣り合わせの円弧３５ａ同士をそれぞれ結ぶ複数の弦３５ｂからなる。なお、各々の円弧３５ａの中心角αは同一角であり、各々の弦３５ｂの中心角βは同一角であるが、円弧３５ａの中心角αと弦の中心角βは同一である必要はない。
また、円弧３５ａの中心角αよりも、弦３５ｂの中心角βを大きく設計することで、外輪３１の大径部３１ａに圧入する圧入嵌合面積が少なくなる。この結果、転がり軸受３０をハウジング等に組み込んだ際に、組み込みに影響しない程度に外輪３１の変形を抑えることができる。
【００２９】
そして、この大径部３１ａの軸方向内側端面３１ｂに突き当たるようにシールド３５が圧入固定されている。すなわち、この大径部３１ａは、シールド３５の位置決めとしての軸方向内側端面３１ｂを形成するためのものであり、圧入位置決めが可能な程度の最小限の軸方向内側端面３１ｂの面積が設けられていれば良い。なお、シールド３５の軸方向幅、円弧の数と中心角、円弧の直径に対する大径部３１ａの直径により、圧入力、抜け力、外径の変形具合などが変化するので、軸受外輪の寸法、要求される抜け力、許容できる外形の変形量等を加味し、適宜、実験等により各部寸法の最適値を求めると良い。
【００３０】
シールド３５の各弦３５ｂの内接円３５ｃは、外輪内径よりも大径で有ることが好ましい。また、大径部３１ａの軸方向内側端面３１ｂは、シールド３５との間に隙間が出来ないように平面であることが好ましい。これにより、外輪大径部３１ａとシールド３５の弦３５ｂの部分の径方向外側の隙間からの異物侵入、グリース漏れを防ぐことが出来る。但し、隙間があったとしても少量であればラビリンス隙間となり、異物侵入、グリース漏れを防ぐことは可能であるので、やむを得ず隙間を持たせる場合には、極力少なくなるよう設定すると良い。
【００３１】
なお、本実施の形態では、外輪３１に大径部３１ａを設けた例について説明したが、大径部３１ａを設けずに、外輪内周面３１ｃにシールド３５を圧入してもよい。また、本実施の形態では、軸方向両側にシールド３５を設ける例について説明したが、軸方向一方にのみシールド３５を設ける構成でもよい。また、本実施形態の軸受３０は、内輪に相当する支持軸３２の外周面を軌道面として利用しているが、内輪を持つ転がり軸受であってもよい。
【００３２】
本発明は、上述した実施形態に限定されるものでなく、適宜、変形、改良等が可能である。例えば、上記実施の形態では、シールドの外形面を、複数の円弧と、隣り合わせの円弧同士をそれぞれ結ぶ複数の弦から構成したが、弦の代わりに、Ｖ字形状の切欠き部としてもよい。また、本発明の転がり軸受は、ボールねじの支持軸受としても適用可能である。
【００３３】
以上の通り、本明細書には次の事項が開示されている。
（１）  外輪と、内輪部と、複数の転動体と、該複数の転動体を転動自在に保持する保持器と、シールドとを備えた転がり軸受において、
前記外輪の少なくとも軸方向一方の端部内周面には、該外輪の内径よりも大径で軸方向外側に開口され、前記シールドの軸方向幅よりも広い軸方向幅を持つ大径部が設けられており、
前記シールドの外形面は、同一中心角を持ち円周上に等配された複数の円弧と、該隣り合わせの円弧をそれぞれ結ぶ複数の弦からなり、
前記大径部に、前記シールドが圧入固定されていることを特徴とする転がり軸受。
（２）  前記円弧の中心角よりも、前記弦の中心角が大きいことを特徴とする（１）に記載の転がり軸受。
（３）  前記シールドの軸方向端面と前記外形面との縁部と、前記外輪の軸方向端面と前記大径部との縁部の少なくとも一方には、圧入導入部が設けられることを特徴とする（１）又は（２）のいずれか１項に記載の転がり軸受。
（４）  前記圧入導入部は、テーパ形状、または断面凸曲面形状であることを特徴とする（３）に記載の転がり軸受。
（５）  前記シールドの軸方向端面と前記外形面との縁部と、前記外輪の軸方向端面と前記大径部との縁部の両方に、テーパ形状の前記圧入導入部が形成され、
前記外輪の大径部と前記圧入導入部との境界部における径をφＡ、前記シールドの軸方向端面と前記圧入導入部との境界部における径をφＢ、前記シールドの円弧の径をφＣとすると、
φＢ＜φＡ＜φＣ
の寸法関係を満たすことを特徴とする（３）に記載の転がり軸受。
（６）  前記外輪の軸方向端面と前記大径部との縁部には、断面凸曲面形状の前記圧入導入部が形成され、
前記シールドの軸方向端面と前記外形面との縁部には、テーパ形状の前記圧入導入部が形成されることを特徴とする（３）に記載の転がり軸受。
（７）  前記シールドの軸方向両端面と前記外形面との両縁部には、前記圧入導入部が設けられることを特徴とする（３）〜（６）のいずれかに記載の転がり軸受。
（８）  前記シールドの内径面と前記内輪部の外形面との間でラビリンス隙間を形成することを特徴とする（１）〜（７）のいずれかに記載の転がり軸受。
（９）  前記外輪の大径部には、前記シールドを軸方向に位置決めするための軸方向内側端面が形成されることを特徴とする（１）〜（８）のいずれかに記載の転がり軸受。
【００３４】
本出願は、２０１７年２月２３日出願の日本特許出願２０１７−０３１６６２に基づくものであり、その内容はここに参照として取り込まれる。
【符号の説明】
【００３５】
１０、２０、３０    転がり軸受
１１、２１、３１    外輪
２１ａ、３１ａ    大径部
２１ｂ、３１ｂ  軸方向内側端面
２１ｃ、３１ｃ  内周面
２１ｄ、２５ｄ  圧入導入部
１２、２２    内輪（内輪部）
３２    支持軸（内輪部）
１３、２３、３３    転動体
１４、１５、２５、３５    シールド
２５ａ、３５ａ    円弧
２５ｂ、３５ｂ    弦
２５ｃ、３５ｃ    弦の内接円
２７    保持器
α    円弧の中心角
β    弦の中心角
【要約】
転がり軸受は、外輪と、複数の転動体と、該複数の転動体を転動自在に保持する保持器と、シールドとを備える。前記外輪の少なくとも軸方向一方の端部内周面には、該外輪の内径よりも大径で軸方向外側に開口され、前記シールドの軸方向幅よりも広い軸方向幅を持つ大径部が設けられており、前記シールドの外形面は、同一中心角を持ち円周上に等配された複数の円弧と、該隣り合わせの円弧をそれぞれ結ぶ複数の弦からなり、前記大径部に、前記シールドが圧入固定されている。【図１】
0006376316.tif 000002
【図２】
0006376316.tif 000003
【図３】
0006376316.tif 000004
【図４】
0006376316.tif 000005
【図５】
0006376316.tif 000006
【図６】
0006376316.tif 000007
【図７】
0006376316.tif 000008
【図８】
0006376316.tif 000009